(57)【要約】  本開示は、被写体を撮影して動画像データを記録可能な撮像装置に関する。撮像装置の設定部は、表示部（１９０）上でのレベルメータ（２０１）の表示のＯＮ又はＯＦＦを設定する第１の設定と、無音を示す音声を記録する機能であるミュート機能のＯＮ又はＯＦＦを設定する第２の設定と、を受け付ける。撮像装置の制御部は、動画撮影時に、第１の設定において、レベルメータ（２０１）の表示がＯＦＦに設定されている場合であって、さらに、第２の設定において、ミュート機能がＯＮに設定されているときは、表示部（１９０）にレベルメータ（２０１）及びミュート表示（２０２）の少なくとも一方を表示させるように構成されている。
2019026318.tif 000002
【特許請求の範囲】
【請求項１】
被写体を撮影して動画像データを記録可能な撮像装置であって、
音声を入力し、音声信号を生成する音声入力部と、
前記音声入力部から出力される前記音声信号のレベルを示すレベルメータを表示する表示部と、
前記表示部上での前記レベルメータの表示のＯＮ又はＯＦＦを設定する第１の設定と、無音を示す音声を記録する機能であるミュート機能のＯＮ又はＯＦＦを設定する第２の設定と、を受け付ける設定部と、
前記表示部上での前記レベルメータの表示を制御する制御部と、を備え、
前記制御部は、動画撮影時に、
前記第１の設定において、前記レベルメータの表示がＯＮに設定されている場合、前記表示部に前記レベルメータを表示させ、
前記第１の設定において、前記レベルメータの表示がＯＦＦに設定されている場合であって、
さらに、前記第２の設定において、
前記ミュート機能がＯＦＦに設定されているときは、前記表示部に前記レベルメータを表示させず、
前記ミュート機能がＯＮに設定されているときは、前記表示部に前記レベルメータ、及び前記ミュート機能がＯＮに設定されていることを示すミュート表示の少なくとも一方を表示させるように構成された、
撮像装置。
【請求項２】
前記第２の設定において前記ミュート機能がＯＮに設定され、かつ、前記表示部に前記レベルメータが表示される場合、前記制御部は、前記レベルメータに重畳して又はその近傍位置に、前記ミュート表示を表示させるように構成された、請求項１記載の撮像装置。
【請求項３】
前記第２の設定において前記ミュート機能がＯＮに設定され、かつ、前記表示部に前記レベルメータが表示されている場合に、前記第１の設定において前記レベルメータの表示がＯＦＦに設定されたときは、前記制御部は、前記表示部に前記レベルメータを表示させないように構成された、請求項１記載の撮像装置。
【請求項４】
前記第１の設定は、前記レベルメータのみに対する前記表示部上での表示及び非表示のいずれか一方の選択である、請求項１記載の撮像装置。
【請求項５】
前記第１の設定は、前記レベルメータを含む所定情報に対する前記表示部上での表示及び非表示のいずれか一方の選択である、請求項１記載の撮像装置。
【請求項６】
被写体を撮像し動画信号を生成する撮像部をさらに備え、
前記制御部は、前記動画信号と前記音声信号に基づく動画像データを記録媒体に記録する、請求項１記載の撮像装置。
【請求項７】
被写体を撮影して動画像データを記録可能な撮像装置であって、
音声を入力し、音声信号を生成する音声入力部と、
無音を示す音声を記録する機能であるミュート機能のＯＮ又はＯＦＦの設定を受け付ける設定部と、
前記ミュート機能がＯＮに設定されているときは、前記ミュート機能がＯＮに設定されていることを示すミュート表示を表示する表示部と、
前記表示部に前記ミュート表示を表示させるように構成された制御部と、を備えた、
撮像装置。
【発明の詳細な説明】
【技術分野】
【０００１】
本開示は、画像と音声の記録が可能な撮像装置に関する。
【背景技術】
【０００２】
特許文献１は、外部の音声を取得し、音声を第１信号に変換する変換部と、第１信号を増幅して第２信号を生成する増幅部と、第２信号を記録する記録部と、第２信号のレベルを表示する表示部と、増幅部および表示部を制御する制御部と、を備えた記録装置を開示する。増幅部は、第２信号のレベルに応じて増幅部の増幅度を調整するＡＬＣ（Ａｕｔｏ  Ｌｅｖｅｌ  Ｃｏｎｔｒｏｌ）部を有する。制御部は、ＡＬＣ部が動作するか否かを選択可能とし、ＡＬＣ部が動作するとき、表示部における第２信号のレベルの表示又は非表示を選択可能にする。一方、ＡＬＣ部が動作しないとき、制御部は、表示部における第２信号のレベルを常時表示させる。これにより、ＡＬＣのオン又はオフを選択可能にし、ＡＬＣがオフのときには録音レベルが自動的に表示される。これにより、ＡＬＣをオフにした際でも録音レベルを確認でき、音割れの発生をモニタリングできるようになる。
【先行技術文献】
【特許文献】
【０００３】
【特許文献１】特開２０１５−１３０５４７号公報
【発明の概要】
【０００４】
本開示は、画像と音声の記録が可能な撮像装置において、ミュート機能に関するユーザの誤操作を低減する撮像装置を提供する。
【０００５】
本開示の一態様において、被写体を撮影して動画像データを記録可能な撮像装置が提供される。撮像装置は、音声を入力して音声信号を生成する音声入力部と、音声入力部から出力される音声信号のレベルを示すレベルメータを表示する表示部と、表示部上でのレベルメータの表示のＯＮ又はＯＦＦを設定する第１の設定と、無音を示す音声を記録する機能であるミュート機能のＯＮ又はＯＦＦを設定する第２の設定とを受け付ける設定部と、表示部上でのレベルメータの表示を制御する制御部（１３０）と、を備える。制御部は、動画撮影時に、第１の設定において、レベルメータの表示がＯＮに設定されている場合、表示部にレベルメータを表示させる。第１の設定において、レベルメータの表示がＯＦＦに設定されている場合であって、さらに、第２の設定においてミュート機能がＯＦＦに設定されているときは、制御部は、表示部にレベルメータを表示させない。または、ミュート機能がＯＮに設定されているときは、制御部は、表示部にレベルメータ及びミュート表示の少なくとも一方を表示させるように構成されている。ミュート表示は、ミュート機能がＯＮに設定されていることを示す表示である。
【０００６】
また、本開示の一態様において、被写体を撮影して動画像データを記録可能な撮像装置が提供される。撮像装置は、音声を入力し、音声信号を生成する音声入力部と、無音を示す音声を記録する機能であるミュート機能のＯＮ又はＯＦＦの設定を受け付ける設定部と、ミュート機能がＯＮに設定されているときは、ミュート機能がＯＮに設定されていることを示すミュート表示を表示する表示部と、表示部にミュート表示を表示させるように構成された制御部と、を備える。
【図面の簡単な説明】
【０００７】
【図１】本開示のデジタルカメラの構成を示す図
【図２】デジタルカメラにおけるアナログ音声処理部の構成を示す図
【図３】入力音声信号のレベルを示すレベルメータの表示例を示した図
【図４】マイクレベル表示機能のＯＮ／ＯＦＦを設定するための画面の例を示した図
【図５】マイクレベルを設定するための画面の例を示した図
【図６】ミュート機能がＯＮに設定された時に表示部に表示される表示の一例を示した図
【図７】実施の形態１におけるデジタルカメラにおけるレベルメータの表示処理に関するフローチャート
【図８】ミュート機能がＯＮに設定された時に表示部上に表示される表示の別の例を示した図
【図９】ミュート機能がＯＮに設定された時に表示部上に表示される表示の別の例を示した図
【図１０】実施の形態２におけるデジタルカメラにおけるレベルメータの表示処理に関するフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明又は実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって請求の範囲に記載の主題を限定することを意図するものではない。
【００１０】
（実施の形態１）
以下、図面を用いて、本開示に係る撮像装置の一実施の形態であるデジタルカメラの構成および動作を説明する。
【００１１】
［１−１．構成］
図１は、本開示に係る撮像装置の一実施の形態であるデジタルカメラの構成を示す図である。デジタルカメラ１００は、被写体を撮像して画像データ（静止画、動画）を生成して記録媒体に記録する。デジタルカメラ１００は、カメラボディ１０２と、カメラボディ１０２に装着される交換レンズ３０１とで構成される。
【００１２】
［１−１−１．交換レンズ］
交換レンズ３０１は、フォーカスレンズ３１０、補正レンズ３１８およびズームレンズ３１２を含む光学系を含む。交換レンズ３０１はさらに、レンズコントローラ３２０、レンズマウント３３０、フォーカスレンズ駆動部３１１、ズームレンズ駆動部３１３、絞り３１６、絞り駆動部３１７、操作リング３１５、ＯＩＳ（Ｏｐｔｉｃａｌ  Ｉｍａｇｅ  Ｓｔａｂｉｌｉｚｅｒ）駆動部３１９、ＤＲＡＭ（Ｄｙｎａｍｉｃ  Ｒａｎｄｏｍ  Ａｃｃｅｓｓ  Ｍｅｍｏｒｙ）３２１、フラッシュメモリ３２２等を備えている。
【００１３】
レンズコントローラ３２０は、交換レンズ３０１全体の動作を制御する。レンズコントローラ３２０は、フォーカスレンズ３１０、補正レンズ３１８及び絞り３１６を駆動させるように、フォーカスレンズ駆動部３１１、ＯＩＳ駆動部３１９、及び絞り駆動部３１７をそれぞれ制御することができる。また、レンズコントローラ３２０は、操作リング３１５のユーザによる操作を受け付けて、操作に応じてズームレンズ３１２を駆動させるよう、ズームレンズ駆動部３１３を制御することができる。
【００１４】
ＯＩＳ駆動部３１９は、例えば、マグネットと平板コイルとで構成される駆動機構を備える。ＯＩＳ駆動部３１９は、交換レンズ３０１のぶれを検出するジャイロセンサ（図示せず）の検出信号に基づき駆動機構を制御して、交換レンズ３０１のぶれに応じて光学系の光軸に垂直な面内で補正レンズ３１８をシフトさせる。これにより、撮像画像中における手振れによるぶれの影響を低減する。
【００１５】
レンズコントローラ３２０は、ＤＲＡＭ３２１およびフラッシュメモリ３２２に接続されており、必要に応じてそれらのメモリに情報を書き込んだり、読み出したりすることができる。また、レンズコントローラ３２０は、レンズマウント３３０を介して、カメラボディ１０２のコントローラ１３０と通信することができる。レンズコントローラ３２０は、ハードワイヤードな電子回路で構成されてもよいし、プログラムを用いたマイクロコンピュータなどで構成されてもよい。
【００１６】
レンズマウント３３０は、カメラボディ１０２のボディマウント１４０と接続され、交換レンズ３０１およびカメラボディ１０２を機械的および電気的に接続する。交換レンズ３０１とカメラボディ１０２とが接続されると、レンズコントローラ３２０と、コントローラ１３０とは通信可能な状態となる。ボディマウント１４０は、レンズマウント３３０を介してレンズコントローラ３２０から受信した信号をカメラボディ１０２のコントローラ１３０に送信することができる。
【００１７】
［１−１−２．カメラボディ］
カメラボディ１０２は、ＣＣＤ（Ｃｈａｒｇｅ  Ｃｏｕｐｌｅｄ  Ｄｅｖｉｃｅ）イメージセンサ１４３およびＡＦＥ（アナログ・フロント・エンド）１４４を含む。
【００１８】
ＣＣＤイメージセンサ１４３は、交換レンズ３０１を通して形成された被写体像を撮像して画像情報を生成する。なお、画像センサとして他の種類の画像センサ（例えば、ＣＭＯＳイメージセンサ）が用られてもよい。
【００１９】
ＡＦＥ１４４は、ＣＣＤイメージセンサ１４３から読み出した画像情報に対して相関二重サンプリングによる雑音抑圧、アナログゲインコントローラによるＡ／Ｄ（アナログ／デジタル）変換器の入力レンジ幅への増幅、およびＡ／Ｄ変換器によるＡ／Ｄ変換を実施する。
【００２０】
カメラボディ１０２はさらに音声入力部１１１およびアナログ音声処理部１１５を備える。音声入力部１１１は、左右それぞれの方向からの主音声（記録対象の音声）を別々に収音するために、２つのマイクロホン１１１Ｌ、１１１Ｒを含む。各マイクロホン１１１Ｌ、１１１Ｒは、音声信号を電気信号（アナログ音声信号）に変換する。各マイクロホン１１１Ｌ、１１１Ｒからのアナログ音声信号はアナログ音声処理部１１５に入力される。
【００２１】
アナログ音声処理部１１５は、音声入力部１１１から入力したアナログ音声信号を増幅し、デジタル音声信号に変換し、デジタル音声信号をデジタル画像・音声処理部１２０に出力する。
【００２２】
図２は、アナログ音声処理部１１５の構成を示すブロック図である。アナログ音声処理部１１５は、アンプ４０１と、振幅検知部４０２と、Ａ／Ｄ変換器４０３とを備える。アナログ音声処理部１１５は、音声入力部１１１から受信したアナログ音声信号をアンプ４０１により所定のゲインで増幅して、Ａ／Ｄ変換器４０３に出力する。Ａ／Ｄ変換器４０３は、アンプ４０１で増幅されたアナログ音声信号を受信してＡ／Ｄ変換を行い、Ａ／Ｄ変換された音声信号をデジタル画像・音声処理部１２０に出力する。振幅検知部４０２は、アンプ４０１で増幅された音声信号を受けて、アナログ音声信号の振幅がＡ／Ｄ変換器４０３の入力許容レベルを超えないように、アンプ４０１のゲインをフィードバック制御する。アナログ音声処理部１１５は、アナログ回路を含む電子回路で構成され、１つまたは複数の半導体集積回路で構成されてもよい。
【００２３】
アナログ音声処理部１１５は、ゲインを変化させることでアナログ音声信号の大きさを示すレベル（以下「マイクレベル」という）を変更できる。マイクレベルはユーザにより設定可能である。コントローラ１３０は、ユーザにより設定されたマイクレベルの設定値にしたがい、アンプ４０１のゲインを指示する制御信号をアナログ音声処理部１１５に出力する。アナログ音声処理部１１５は、この制御信号にしたがいゲインを調整し、アナログ音声信号のレベルを制御する。
【００２４】
デジタル画像・音声処理部１２０は、ＡＦＥ１４４から出力された画像情報およびアナログ音声処理部１１５から出力された音声信号に対して、各種の処理を施す。例えば、デジタル画像・音声処理部１２０は、コントローラ１３０からの指示にしたがって、画像情報に対してガンマ補正、ホワイトバランス補正、傷補正、および符号化処理等を行う。また、デジタル画像・音声処理部１２０は、コントローラ１３０からの指示にしたがって、音声信号に対する各種処理を行う。デジタル画像・音声処理部１２０は、ハードワイヤードな電子回路で実現されてもよいし、プログラムを実行するマイクロコンピュータなどで実現されてもよい。デジタル画像・音声処理部１２０を実現する回路は、１つまたは複数の半導体集積回路に集積されてもよい。例えば、デジタル画像・音声処理部１２０はＣＰＵ（Ｃｅｎｔｒａｌ  Ｐｒｏｃｅｓｓｉｎｇ  Ｕｎｉｔ）、ＦＰＧＡ（Ｆｉｅｌｄ‐Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）等で構成される。
【００２５】
表示部１９０は、デジタルカメラ１００の背面に配置される。表示部１９０は、液晶ディスプレイ、または有機ＥＬ（Ｅｌｅｃｔｒｏ  Ｌｕｍｉｎｅｓｃｅｎｃｅ）ディスプレイで構成される。表示部１９０は、デジタル画像・音声処理部１２０にて処理された画像情報に基づく画像を表示する。表示部１９０は、表示画像上でのユーザ操作を可能とするタッチパネルも含む。
【００２６】
コントローラ１３０は、デジタルカメラ１００全体の動作を統括制御する。コントローラ１３０は、ハードワイヤードな電子回路で実現されてもよいし、プログラムを実行するマイクロコンピュータなどで実現されてもよい。また、コントローラ１３０は、デジタル画像・音声処理部１２０などと一体的に１つの半導体チップとして実現されてもよい。例えば、コントローラ１３０は単独でまたはデジタル画像・音声処理部１２０と一体的に、ＣＰＵ、ＦＰＧＡ、ＡＳＩＣ、ＤＳＰ等で構成される。
【００２７】
ＲＯＭ（Ｒｅａｄ  Ｏｎｌｙ  Ｍｅｍｏｒｙ）１７０は、コントローラ１３０がオートフォーカス制御（ＡＦ制御）、自動露出制御（ＡＥ制御）、およびストロボの発光制御などを実行するための、これらの制御に関するプログラムを格納している。また、ＲＯＭ１７０は、デジタルカメラ１００全体の動作を統括制御するためのプログラムを格納している。ＲＯＭ１７０は、デジタルカメラ１００に関する各種条件および設定を記憶する。ＲＯＭ１７０は、コントローラ１３０の外部に（コントローラ１３０とは別体として）存在している必要はなく、コントローラ１３０の内部に組み込まれていてもよい。本実施の形態では、ＲＯＭ１７０は、フラッシュＲＯＭである。
【００２８】
ＲＡＭ（Ｒａｎｄｏｍ  Ａｃｃｅｓｓ  Ｍｅｍｏｒｙ）１５０は、デジタル画像・音声処理部１２０およびコントローラ１３０のワークメモリとして機能する。ＲＡＭ１５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）またはフラッシュメモリなどで実現できる。ＲＡＭ１５０は、画像情報および音声信号などを記録するための内部メモリとしても機能する。
【００２９】
外部記憶媒体１６０は、内部にフラッシュメモリ等の不揮発性の記憶素子を備えた着脱可能なメモリデバイスである。外部記憶媒体１６０は例えばＳＤカードのようなメモリカードである。外部記憶媒体１６０は、コントローラ１３０の制御にしたがい、デジタル画像・音声処理部１２０で処理される画像および音声のデータを動画ファイルとして記録する。
【００３０】
操作部１８０は、デジタルカメラ１００の外装に配置される操作釦および操作ダイヤルなどの少なくとも１つの操作インターフェースの総称である。操作部１８０は、ユーザによる操作を受け付ける。例えば、操作部１８０は、デジタルカメラ１００の上面に設けられたレリーズ釦、電源スイッチ、モードダイヤル、およびデジタルカメラ１００の背面に設けられた中央釦、十字釦などを含む。また、操作部１８０は表示部１９０のタッチパネルも含む。操作部１８０は、ユーザによる操作を受け付けると、コントローラ１３０に種々の動作を指示する信号を通知する。
【００３１】
［１−２．動作］
本実施の形態のデジタルカメラ１００は動画撮影が可能である。動画撮影においては、画像と共に音声が記録される。デジタルカメラ１００は、動画撮影時において、入力したアナログ音声信号のレベルを示す表示であるマイクレベルを表示部１９０に表示する。
【００３２】
図３は、動画撮影時にデジタルカメラ１００の表示部１９０に表示されるレベルメータの表示例を説明した図である。レベルメータ２０１は、表示部１９０の画面の左下の領域に表示される。レベルメータ２０１は、マイクロホン１１１Ｌ、１１１Ｒそれぞれのマイクレベルの大きさに応じてその表示状態を変化させる。ユーザは、動画撮影中にレベルメータ２０１を参照することで、音声の入力レベルを把握することができる。
【００３３】
デジタルカメラ１００において、ユーザは、表示部１９０にレベルメータ２０１を表示させるか否かを設定可能である。図４は、デジタルカメラ１００において動画撮影に関する種々の設定を行うための設定画面を示す。この設定画面における「マイクレベル表示」の項目により、ユーザは、レベルメータ２０１の表示または非表示を設定することができる。具体的には、マイクレベル表示が「ＯＮ」に設定されたときは、表示部１９０にレベルメータ２０１が表示される。マイクレベル表示が「ＯＦＦ」に設定されたときは、表示部１９０にレベルメータ２０１は表示されない。図４の例では、レベルメータ２０１が表示されるように、マイクレベル表示が「ＯＮ」に設定されている。コントローラ１３０は、マイクレベル表示の設定にしたがいレベルメータ２０１の表示または非表示を制御する。
【００３４】
さらに、デジタルカメラ１００において、ユーザによりマイクレベルを設定することができる。図５は、マイクレベルを設定するための設定画面を示す。図５に示す設定画面では、マイクレベルは−１２ｄＢから＋６ｄＢの範囲で設定される。ユーザは、図５の設定画面において、所望のレベルの位置にカーソル２１０を移動し、決定ボタン２１４を押下することで、マイクレベルを所望のレベルに設定することができる。コントローラ１３０は、マイクレベルの設定にしたがいアナログ音声処理部１１５のゲインを制御し、マイクレベルを制御する。
【００３５】
図５に示す設定画面において、マイクレベルは、−１２ｄＢよりも低い最小設定値としてマイナス無限大（−∞）ｄＢにも設定できる。マイクレベルが最小設定値に設定された場合、デジタルカメラ１００においてミュート機能がＯＮに設定される。ミュート機能は、音声入力部１１１を介して入力した音声を記録しない機能、換言すれば、無音を記録する機能である。すなわち、デジタルカメラ１００は、動画撮影時にミュート機能がＯＮに設定された場合、入力した音声のレベルにかかわらず、画像データとともに、無音を示す音声データ（例えばデータの値が０）を記録する。
【００３６】
ミュート機能がＯＮに設定された場合、デジタルカメラ１００は、ミュート機能がＯＮに設定されていることをユーザに通知するための表示（以下、ミュート表示という）を表示部１９０に表示する。図６は、そのようなミュート表示の一例を示した図である。表示部１９０において、レベルメータ２０１に重ねて“ＭＵＴＥ”の文字２０２が表示されている。このようなミュート表示により、ユーザは、デジタルカメラ１００においてミュート機能がＯＮになっていることを把握することができる。よって、ミュート機能がＯＮに設定されていることを知らずに、ユーザの意に反して無音の動画が撮影されてしまうことを防止できる。
【００３７】
図６に示すように、“ＭＵＴＥ”の文字２０２は、レベルメータ２０１に重ねて表示されている。このように“ＭＵＴＥ”の文字２０２がレベルメータ２０１に重ねて配置されることで、ユーザは、レベルメータ２０１を参照したときに、同時にミュート機能がＯＮに設定されていることを把握することができる。“ＭＵＴＥ”の文字２０２は赤色のような目立つ色で表示されてもよい。
【００３８】
図７は、デジタルカメラ１００による動画撮影時におけるレベルメータ２０１の表示処理に関するフローチャートである。以下、図７のフローチャートを参照して、デジタルカメラ１００におけるレベルメータ２０１の表示処理を説明する。図７の処理は、主としてデジタルカメラ１００のコントローラ１３０が実行する。図７の処理は、例えば、デジタルカメラ１００の電源ＯＮ時に開始される。
【００３９】
コントローラ１３０はまず表示ＯＦＦフラグを「０」に設定する（Ｓ１０）。ここで、表示ＯＦＦフラグとは、マイクレベル表示をＯＦＦにすることをユーザが了承したか否かを示すフラグである。「０」は、マイクレベル表示をＯＦＦにすることをユーザが了承していないことを示し、「１」は、マイクレベル表示をＯＦＦにすることをユーザが了承していることを示す。
【００４０】
コントローラ１３０は、レベルメータ２０１の表示または非表示を設定する「マイクレベル表示」の設定（図４参照）がＯＦＦ（非表示）に設定されているか否かを判断する（Ｓ１１）。
【００４１】
マイクレベル表示の設定がＯＮ（表示）に設定されている場合（Ｓ１１でＮＯ）、コントローラ１３０は、マイクレベル表示の設定にしたがい、表示部１９０にレベルメータ２０１を表示させる（Ｓ１９）。
【００４２】
マイクレベル表示の設定がＯＦＦに設定されている場合（Ｓ１１でＹＥＳ）、コントローラ１３０は、ミュート機能がＯＮに設定されており、かつ、表示ＯＦＦフラグが「０」に設定されているか否かを判断する（Ｓ１２）。
【００４３】
最初、表示ＯＦＦフラグは「０」に設定されている。よって、ミュート機能がＯＦＦに設定されていれば（Ｓ１２でＮＯ）、コントローラ１３０は、マイクレベル表示の設定にしたがい、レベルメータ２０１を表示部１９０に表示させない（Ｓ１８）。
【００４４】
一方、ミュート機能がＯＮに設定されている場合（Ｓ１２でＹＥＳ）、コントローラ１３０はマイクレベル表示をＯＮに設定する（Ｓ１３）。さらに、コントローラ１３０は、図６に示すように、表示部１９０において、レベルメータ２０１と“ＭＵＴＥ”の文字２０２を表示する（Ｓ１４）。
【００４５】
このようにミュート機能がＯＮの場合、マイクレベル表示の設定がＯＦＦ（非表示）であるにも拘わらず、レベルメータ２０１及び“ＭＵＴＥ”の文字２０２を表示させている。これにより、ユーザに対して、デジタルカメラ１００において現在ミュート機能がＯＮに設定されていることをより確実に通知することができる。ユーザは、このような表示を参照することで、意に反してミュート機能がＯＮに設定されていることに気づいたときは、設定を変更することで音声記録を実行できる。これにより、ユーザが意図せずに無音の動画を撮影してしまうことを防止できる。
【００４６】
コントローラ１３０は、マイクレベル表示の設定がＯＮの間（Ｓ１５でＮＯ）、表示部１９０において、レベルメータ２０１と“ＭＵＴＥ”の文字２０２を表示し続ける（Ｓ１４）。
【００４７】
ユーザによりマイクレベル表示の設定がＯＦＦに変更されると（Ｓ１５でＹＥＳ）、コントローラ１３０は、表示部１９０において、レベルメータ２０１と“ＭＵＴＥ”２０２の表示を消す（Ｓ１６）。本実施の形態のデジタルカメラ１００では、レベルメータ２０１と“ＭＵＴＥ”２０２の表示後に、ユーザによりマイクレベル表示の設定がＯＦＦに設定されたときは、ユーザの意思を尊重し、レベルメータ２０１と“ＭＵＴＥ”２０２の表示を消すようにしている。
【００４８】
ユーザによりマイクレベル表示の設定がＯＦＦに変更された場合、ユーザはマイクレベル表示をＯＦＦにすることを了承していると考えられる。よって、コントローラ１３０は、表示ＯＦＦフラグを「１」に設定し（Ｓ１７）、ステップＳ１１に戻る。
【００４９】
このとき、マイクレベル表示がＯＦＦに設定されているため、ステップＳ１１では、ステップＳ１２に進む。そして、コントローラ１３０は、ミュート機能がＯＮに設定されており、かつ、表示ＯＦＦフラグが「０」に設定されているか否かを判断する（Ｓ１２）。ここで、表示ＯＦＦフラグは先のステップＳ１７にて「１」に設定されているため、コントローラ１３０は、レベルメータ２０１を表示しない（Ｓ１８）。以後、上記の処理が繰り返される。
【００５０】
以上のようにして、本実施の形態のデジタルカメラ１００は、マイクレベル表示の設定がＯＦＦであっても、ミュート機能がＯＮに設定された場合には、マイクレベル表示の設定に反してレベルメータ及び“ＭＵＴＥ”の文字を表示部１９０に表示する。これにより、ユーザがミュートに設定されていることに気づかず意に反して無音の動画が記録される機会を低減することができる。
【００５１】
［１−３．効果、等］
本実施形態のデジタルカメラ１００（撮像装置の一例）は、被写体を撮影して動画像データを記録可能である。デジタルカメラ１００は、音声を入力して音声信号を生成する音声入力部１１１と、音声入力部１１１から出力される音声信号のレベルを示すレベルメータ２０１を表示する表示部１９０と、表示部上でのレベルメータの表示のＯＮ又はＯＦＦを設定する第１の設定（すなわち、マイクレベル表示の設定）と、無音を示す音声を記録する機能であるミュート機能のＯＮ又はＯＦＦを設定する第２の設定とを受け付ける操作部１８０（設定部の一例）と、表示部１９０上でのレベルメータ２０１の表示を制御するコントローラ１３０（制御部の一例）と、を備える。
【００５２】
コントローラ１３０は、動画撮影時において、第１の設定において、レベルメータの表示がＯＮに設定されている場合（Ｓ１１でＮＯ）、表示部１９０にレベルメータを表示させる（Ｓ１９）。これに対して、第１の設定において、レベルメータの表示がＯＦＦに設定されている場合（Ｓ１１でＹＥＳ）であって、さらに第２の設定において、ミュート機能がＯＦＦに設定されているときは（Ｓ１２でＮＯ）、コントローラ１３０は、表示部１９０にレベルメータを表示させない（Ｓ１８）。または、第２の設定において、ミュート機能がＯＮに設定されているときは（Ｓ１２でＹＥＳ）、コントローラ１３０は、表示部１９０にレベルメータおよびミュート表示を表示させる（Ｓ１４）。
【００５３】
以上の構成により、マイクレベル表示がＯＦＦ設定であっても、ミュート機能がＯＮに設定された場合には、マイクレベル表示の設定に反してレベルメータ２０１及び“ＭＵＴＥ”の文字２０２を表示部１９０に表示する。これにより、ユーザは、ミュート機能がＯＮに設定されていることを確実に認識できるため、ミュートに設定されていることに気づかず意に反して無音の動画が記録される機会を低減することができる。よって、ミュート機能に関するユーザの誤操作を低減することができる。
【００５４】
また、実施の形態１では、無音で動画を記録できるため、たとえばパーソナルコンピュータを用いた編集作業において、パーソナルコンピュータの表示部に音声データが表示されない。または、無音を示す一定のデータが表示される。したがって、無音の動画を編集したい場合は、編集作業中に不要なデータ、または煩雑なデータが視界に入らず、ユーザの利便性が向上する。編集作業は、パーソナルコンピュータ以外にも、電子端末等で実行されうる。
【００５５】
ミュート機能がＯＮに設定されている場合であって、表示部１９０にレベルメータ２０１を表示するとき、コントローラ１３０は、レベルメータに重畳して又はその近傍位置に、ミュート機能がＯＮに設定されていることを示す表示２０２（ミュート表示の一例）を表示させてもよい。これにより、ユーザはミュート機能がＯＮに設定されていることをより確実に認識できるようになる。
【００５６】
また、ミュート機能がＯＮに設定され、かつ、表示部１９０にレベルメータ２０１が表示されている場合に（Ｓ１４）、マイクレベル表示がＯＦＦに設定されたときは（Ｓ１５）、コントローラ１３０は表示部１９０にレベルメータ２０１を表示させないようにしてもよい（Ｓ１１、Ｓ１２、Ｓ１８）。これにより、レベルメータ２０１を表示部１９０に表示させたくないというユーザの意思を尊重し、ユーザの利便性を図ることができる。
【００５７】
なお、実施の形態１では、ステップＳ１４において、レベルメータとミュート表示の双方を表示したが、少なくとも一方が表示されればよい。これにより、ユーザは、ミュート機能がＯＮに設定されていることを認識できる。したがって、ミュート機能が設定されていることに気づかず意に反して無音の動画が記録される機会を低減することができる。よって、ミュート機能に関するユーザの誤操作を低減することができる。
【００５８】
（実施の形態２）
本実施の形態のデジタルカメラ１００の構成は、実施の形態１のものと同様である。デジタルカメラ１００は表示部１９０上に所定情報を表示するＯＳＤ（Ｏｎ  Ｓｃｒｅｅｎ  Ｄｉｓｐｌａｙ）機能を有する。ＯＳＤ機能で表示される所定情報には、撮影モード、シャッタスピード、露出、ストロボのＯＮ／ＯＦＦ、バッテリ残量、およびレベルメータ２０１等が含まれる。デジタルカメラ１００において、ＯＳＤ機能のＯＮまたはＯＦＦの設定が可能である。ＯＳＤ機能がＯＮに設定されたときは、表示部１９０に所定情報が表示され、ＯＳＤ機能がＯＦＦに設定されたときは、表示部１９０に所定情報は表示されない。
【００５９】
実施の形態１では、マイクレベル表示のＯＮ又はＯＦＦ設定に関連したレベルメータ２０１の表示処理を説明したが、本実施の形態では、ＯＳＤ機能のＯＮ又はＯＦＦ設定に関連したレベルメータ２０１の表示処理を説明する。
【００６０】
図１０は、実施の形態２のデジタルカメラ１００による動画撮影時におけるレベルメータ２０１の表示処理に関するフローチャートである。以下、図１０のフローチャートを参照して、デジタルカメラ１００におけるレベルメータ２０１の表示処理を説明する。
【００６１】
コントローラ１３０はまず表示ＯＦＦフラグを「０」に設定する（Ｓ３０）。表示ＯＦＦフラグは、実施の形態１と同様に、マイクレベル表示をＯＦＦにすることをユーザが了承したか否かを示すフラグである。
【００６２】
コントローラ１３０は、ＯＳＤ機能の設定がＯＦＦ（非表示）に設定されているか否かを判断する（Ｓ３１）。
【００６３】
ＯＳＤ機能がＯＮ（表示）に設定されている場合（Ｓ３１でＮＯ）、コントローラ１３０は、ＯＳＤ機能のＯＮ設定にしたがい、表示部１９０にレベルメータ２０１を含む所定情報を表示させる（Ｓ３９）。
【００６４】
ＯＳＤ機能がＯＦＦ（非表示）に設定されている場合（Ｓ３１でＹＥＳ）、コントローラ１３０は、ミュート機能がＯＮに設定されており、かつ、表示ＯＦＦフラグが「０」に設定されているか否かを判断する（Ｓ３２）。
【００６５】
最初、表示ＯＦＦフラグは「０」に設定されている。よって、ミュート機能がＯＦＦに設定されていれば（Ｓ３２でＮＯ）、コントローラ１３０は、ＯＳＤ機能のＯＦＦ設定にしたがい、レベルメータ２０１を含む所定情報を表示部１９０に表示させない（Ｓ３８）。
【００６６】
一方、ミュート機能がＯＮに設定されている場合（Ｓ３２でＹＥＳ）、コントローラ１３０はマイクレベル表示をＯＮに設定する（Ｓ３３）。さらに、コントローラ１３０は、図６に示すように、表示部１９０において、レベルメータ２０１と“ＭＵＴＥ”の文字２０２を表示する（Ｓ３４）。
【００６７】
このようにミュート機能がＯＮの場合、ＯＳＤ機能の設定がＯＦＦ（非表示）であっても、レベルメータ２０１及び“ＭＵＴＥ”の文字２０２を表示させる。これにより、ユーザに対して、デジタルカメラ１００において現在ミュート機能がＯＮに設定されていることをより確実に通知することができる。
【００６８】
コントローラ１３０は、マイクレベル表示の設定がＯＮの間（Ｓ３５でＮＯ）、表示部１９０において、レベルメータ２０１と“ＭＵＴＥ”の文字２０２を表示し続ける（Ｓ３４）。
【００６９】
ユーザによりマイクレベル表示の設定がＯＦＦに変更されると（Ｓ３５でＹＥＳ）、コントローラ１３０は、表示部１９０において、レベルメータ２０１と“ＭＵＴＥ”２０２の表示を消す（Ｓ３６）。レベルメータ２０１と“ＭＵＴＥ”２０２の表示後に、ユーザによりマイクレベル表示の設定がＯＦＦに設定されたときは、ユーザの意思を尊重し、レベルメータ２０１と“ＭＵＴＥ”２０２の表示を消すようにしている。
【００７０】
ユーザによりマイクレベル表示の設定がＯＦＦに変更された場合、ユーザはマイクレベル表示をＯＦＦにすることを了承していると考えられる。よって、コントローラ１３０は、表示ＯＦＦフラグを「１」に設定し（Ｓ３７）、ステップＳ３１に戻る。
【００７１】
このとき、マイクレベル表示がＯＦＦに設定されているため、ステップＳ３１では、ステップＳ３２に進む。そして、コントローラ１３０は、ミュート機能がＯＮに設定されており、かつ、表示ＯＦＦフラグが「０」に設定されているか否かを判断する（Ｓ３２）。ここで、表示ＯＦＦフラグは先のステップＳ３７にて「１」に設定されているため、コントローラ１３０は、レベルメータ２０１を表示しない（Ｓ３８）。以後、上記の処理が繰り返される。
【００７２】
以上のようにして、本実施の形態のデジタルカメラ１００は、ＯＳＤ機能がＯＦＦ設定であっても、ミュート機能がＯＮに設定された場合には、マイクレベル表示の設定に反してレベルメータ及び“ＭＵＴＥ”の文字を表示部１９０に表示する。これにより、ユーザがミュートに設定されていることに気づかず意に反して無音の動画が記録される機会を低減することができる。
【００７３】
なお、実施の形態２では、ステップＳ３４において、レベルメータとミュート表示の双方が表示されるが、少なくとも一方を表示すればよい。これにより、ユーザは、ミュート機能がＯＮに設定されていることを認識できる。したがって、ミュートに設定されていることに気づかず意に反して無音の動画が記録される機会を低減することができる。よって、ミュート機能に関するユーザの誤操作を低減することができる。
【００７４】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。
【００７５】
上記の実施の形態では、ミュート機能がＯＮに設定された時に表示される表示の例として、図６に示すように“ＭＵＴＥ”の文字をレベルメータ２０１に重ねて表示したが、表示方法はこれに限定されるものではない。
【００７６】
例えば、図８に示すように、レベルメータ２０１に重ならないように、レベルメータ２０１の近傍に“ＭＵＴＥ”の文字２０２を配置してもよい。これにより、マイクレベルに関する情報の表示位置としてユーザが見慣れた位置の近くに“ＭＵＴＥ”の文字２０２が表示されるため、“ＭＵＴＥ”の文字２０２がユーザにより見過ごされる可能性が低減される。
【００７７】
また、図９に示すように、レベルメータ２０１を表示せず、“ＭＵＴＥ”の文字２０２だけを表示してもよい。この場合、“ＭＵＴＥ”の文字２０２は、レベルメータ２０１が通常表示される位置またはその近傍に表示する。これにより、マイクレベルに関する情報の表示位置としてユーザが見慣れた位置に“ＭＵＴＥ”の文字２０２が表示されるため、“ＭＵＴＥ”の文字２０２がユーザにより見過ごされる可能性が低減される。
【００７８】
また、ミュート機能がＯＮに設定されていることをユーザに通知する情報として“ＭＵＴＥ”の文字に代えて、他の種類の情報（テキスト、画像）を表示してもよい。
【００７９】
上記の実施の形態では、デジタルカメラ１００はレベルメータの表示機能を有するが、レベルメータの表示機能はデジタルカメラ１００に必須ではない。つまり、デジタルカメラ１００は、被写体を撮影して動画像データを記録可能な撮像装置であって、音声を入力し、音声信号を生成する音声入力部１１１と、無音を示す音声を記録する機能であるミュート機能のＯＮ又はＯＦＦの設定を受け付ける操作部１８０（設定部の一例）と、ミュート機能がＯＮに設定されているときは、ミュート機能がＯＮに設定されていることを示すミュート表示を表示する表示部１９０と、表示部１９０にミュート表示を表示させるように構成されたコントローラ１３０（制御部の一例）と、を備えていればよい。これにより、ユーザは、動画の撮影時に、ミュート機能に設定されているのを容易に気づける。
【００８０】
上記の実施の形態では、デジタルカメラとして交換レンズ式のデジタルカメラを説明したが、デジタルカメラはレンズとボディが一体型のものでもよい。
【００８１】
また、本開示の撮像装置として、デジタルカメラを説明したが、本開示の撮像装置は、他の電子機器であってもよい。本開示の撮像装置は、ビデオカメラ、スマートフォンのような、音声を入力する他の電子機器でもよい。
【００８２】
以上のように、本開示における技術の例示として、実施の形態を説明した。そのために、添付図面および詳細な説明を提供した。
【００８３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、請求の範囲またはその均等の範囲において種々の変更、置き換え、付加、省略などを行うことができる。
【産業上の利用可能性】
【００８５】
本開示の撮像装置は、ミュート機能に関するユーザの誤操作を低減することができ、音声を電気信号に変換して入力する種々の電子機器（ビデオカメラ、ＩＣレコーダ等）に適用できる。
【符号の説明】
【００８６】
１００  デジタルカメラ（撮像装置）
１０２  カメラボディ
１１１  音声入力部
１１１Ｌ，１１１Ｒ  マイクロホン
１１５  アナログ音声処理部
１２０  デジタル画像・音声処理部
１３０  コントローラ（制御部）
１４３  ＣＣＤイメージセンサ
１６０  外部記憶媒体
１８０  操作部（設定部）
１９０  表示部
２０１  レベルメータ
２０２  文字（ミュート表示）
３０１  交換レンズ
【図１】
2019026318.tif 000003
【図２】
2019026318.tif 000004
【図３】
2019026318.tif 000005
【図４】
2019026318.tif 000006
【図５】
2019026318.tif 000007
【図６】
2019026318.tif 000008
【図７】
2019026318.tif 000009
【図８】
2019026318.tif 000010
【図９】
2019026318.tif 000011
【図１０】
2019026318.tif 000012
【手続補正書】
【提出日】平成30年10月16日(2018.10.16)
【手続補正１】
【補正対象書類名】明細書
【補正対象項目名】全文
【補正方法】変更
【補正の内容】
【発明の詳細な説明】
【技術分野】
【０００１】
本開示は、画像と音声の記録が可能な撮像装置に関する。
【背景技術】
【０００２】
特許文献１は、外部の音声を取得し、音声を第１信号に変換する変換部と、第１信号を増幅して第２信号を生成する増幅部と、第２信号を記録する記録部と、第２信号のレベルを表示する表示部と、増幅部および表示部を制御する制御部と、を備えた記録装置を開示する。増幅部は、第２信号のレベルに応じて増幅部の増幅度を調整するＡＬＣ（Ａｕｔｏ  Ｌｅｖｅｌ  Ｃｏｎｔｒｏｌ）部を有する。制御部は、ＡＬＣ部が動作するか否かを選択可能とし、ＡＬＣ部が動作するとき、表示部における第２信号のレベルの表示又は非表示を選択可能にする。一方、ＡＬＣ部が動作しないとき、制御部は、表示部における第２信号のレベルを常時表示させる。これにより、ＡＬＣのオン又はオフを選択可能にし、ＡＬＣがオフのときには録音レベルが自動的に表示される。これにより、ＡＬＣをオフにした際でも録音レベルを確認でき、音割れの発生をモニタリングできるようになる。
【先行技術文献】
【特許文献】
【０００３】
【特許文献１】特開２０１５−１３０５４７号公報
【発明の概要】
【０００４】
本開示は、画像と音声の記録が可能な撮像装置において、ミュート機能に関するユーザの誤操作を低減する撮像装置を提供する。
【０００５】
本開示の一態様において、被写体を撮影して動画像データを記録可能な撮像装置が提供される。撮像装置は、音声を入力して音声信号を生成する音声入力部と、音声入力部から出力される音声信号のレベルを示すレベルメータを表示する表示部と、表示部上でのレベルメータの表示のＯＮ又はＯＦＦを設定する第１の設定と、無音を示す音声を記録する機能であるミュート機能のＯＮ又はＯＦＦを設定する第２の設定とを受け付ける設定部と、表示部上でのレベルメータの表示を制御する制御部（１３０）と、を備える。制御部は、動画撮影時に、第１の設定において、レベルメータの表示がＯＮに設定されている場合、表示部にレベルメータを表示させる。第１の設定において、レベルメータの表示がＯＦＦに設定されている場合であって、さらに、第２の設定においてミュート機能がＯＦＦに設定されているときは、制御部は、表示部にレベルメータを表示させない。または、ミュート機能がＯＮに設定されているときは、制御部は、表示部にレベルメータ及びミュート表示の少なくとも一方を表示させるように構成されている。ミュート表示は、ミュート機能がＯＮに設定されていることを示す表示である。
【０００６】
また、本開示の一態様において、被写体を撮影して動画像データを記録可能な撮像装置が提供される。撮像装置は、音声を入力し、音声信号を生成する音声入力部と、無音を示す音声を記録する機能であるミュート機能のＯＮ又はＯＦＦの設定を受け付ける設定部と、ミュート機能がＯＮに設定されているときは、ミュート機能がＯＮに設定されていることを示すミュート表示を表示する表示部と、表示部にミュート表示を表示させるように構成された制御部と、を備える。
【図面の簡単な説明】
【０００７】
【図１】本開示のデジタルカメラの構成を示す図
【図２】デジタルカメラにおけるアナログ音声処理部の構成を示す図
【図３】入力音声信号のレベルを示すレベルメータの表示例を示した図
【図４】マイクレベル表示機能のＯＮ／ＯＦＦを設定するための画面の例を示した図
【図５】マイクレベルを設定するための画面の例を示した図
【図６】ミュート機能がＯＮに設定された時に表示部に表示される表示の一例を示した図
【図７】実施の形態１におけるデジタルカメラにおけるレベルメータの表示処理に関するフローチャート
【図８】ミュート機能がＯＮに設定された時に表示部上に表示される表示の別の例を示した図
【図９】ミュート機能がＯＮに設定された時に表示部上に表示される表示の別の例を示した図
【図１０】実施の形態２におけるデジタルカメラにおけるレベルメータの表示処理に関するフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明又は実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図面を用いて、本開示に係る撮像装置の一実施の形態であるデジタルカメラの構成および動作を説明する。
【００１１】
［１−１．構成］
図１は、本開示に係る撮像装置の一実施の形態であるデジタルカメラの構成を示す図である。デジタルカメラ１００は、被写体を撮像して画像データ（静止画、動画）を生成して記録媒体に記録する。デジタルカメラ１００は、カメラボディ１０２と、カメラボディ１０２に装着される交換レンズ３０１とで構成される。
【００１２】
［１−１−１．交換レンズ］
交換レンズ３０１は、フォーカスレンズ３１０、補正レンズ３１８およびズームレンズ３１２を含む光学系を含む。交換レンズ３０１はさらに、レンズコントローラ３２０、レンズマウント３３０、フォーカスレンズ駆動部３１１、ズームレンズ駆動部３１３、絞り３１６、絞り駆動部３１７、操作リング３１５、ＯＩＳ（Ｏｐｔｉｃａｌ  Ｉｍａｇｅ  Ｓｔａｂｉｌｉｚｅｒ）駆動部３１９、ＤＲＡＭ（Ｄｙｎａｍｉｃ  Ｒａｎｄｏｍ  Ａｃｃｅｓｓ  Ｍｅｍｏｒｙ）３２１、フラッシュメモリ３２２等を備えている。
【００１３】
レンズコントローラ３２０は、交換レンズ３０１全体の動作を制御する。レンズコントローラ３２０は、フォーカスレンズ３１０、補正レンズ３１８及び絞り３１６を駆動させるように、フォーカスレンズ駆動部３１１、ＯＩＳ駆動部３１９、及び絞り駆動部３１７をそれぞれ制御することができる。また、レンズコントローラ３２０は、操作リング３１５のユーザによる操作を受け付けて、操作に応じてズームレンズ３１２を駆動させるよう、ズームレンズ駆動部３１３を制御することができる。
【００１４】
ＯＩＳ駆動部３１９は、例えば、マグネットと平板コイルとで構成される駆動機構を備える。ＯＩＳ駆動部３１９は、交換レンズ３０１のぶれを検出するジャイロセンサ（図示せず）の検出信号に基づき駆動機構を制御して、交換レンズ３０１のぶれに応じて光学系の光軸に垂直な面内で補正レンズ３１８をシフトさせる。これにより、撮像画像中における手振れによるぶれの影響を低減する。
【００１５】
レンズコントローラ３２０は、ＤＲＡＭ３２１およびフラッシュメモリ３２２に接続されており、必要に応じてそれらのメモリに情報を書き込んだり、読み出したりすることができる。また、レンズコントローラ３２０は、レンズマウント３３０を介して、カメラボディ１０２のコントローラ１３０と通信することができる。レンズコントローラ３２０は、ハードワイヤードな電子回路で構成されてもよいし、プログラムを用いたマイクロコンピュータなどで構成されてもよい。
【００１６】
レンズマウント３３０は、カメラボディ１０２のボディマウント１４０と接続され、交換レンズ３０１およびカメラボディ１０２を機械的および電気的に接続する。交換レンズ３０１とカメラボディ１０２とが接続されると、レンズコントローラ３２０と、コントローラ１３０とは通信可能な状態となる。ボディマウント１４０は、レンズマウント３３０を介してレンズコントローラ３２０から受信した信号をカメラボディ１０２のコントローラ１３０に送信することができる。
【００１７】
［１−１−２．カメラボディ］
カメラボディ１０２は、ＣＣＤ（Ｃｈａｒｇｅ  Ｃｏｕｐｌｅｄ  Ｄｅｖｉｃｅ）イメージセンサ１４３およびＡＦＥ（アナログ・フロント・エンド）１４４を含む。
【００１８】
ＣＣＤイメージセンサ１４３は、交換レンズ３０１を通して形成された被写体像を撮像して画像情報を生成する。なお、画像センサとして他の種類の画像センサ（例えば、ＣＭＯＳイメージセンサ）が用られてもよい。
【００１９】
ＡＦＥ１４４は、ＣＣＤイメージセンサ１４３から読み出した画像情報に対して相関二重サンプリングによる雑音抑圧、アナログゲインコントローラによるＡ／Ｄ（アナログ／デジタル）変換器の入力レンジ幅への増幅、およびＡ／Ｄ変換器によるＡ／Ｄ変換を実施する。
【００２０】
カメラボディ１０２はさらに音声入力部１１１およびアナログ音声処理部１１５を備える。音声入力部１１１は、左右それぞれの方向からの主音声（記録対象の音声）を別々に収音するために、２つのマイクロホン１１１Ｌ、１１１Ｒを含む。各マイクロホン１１１Ｌ、１１１Ｒは、音声信号を電気信号（アナログ音声信号）に変換する。各マイクロホン１１１Ｌ、１１１Ｒからのアナログ音声信号はアナログ音声処理部１１５に入力される。
【００２１】
アナログ音声処理部１１５は、音声入力部１１１から入力したアナログ音声信号を増幅し、デジタル音声信号に変換し、デジタル音声信号をデジタル画像・音声処理部１２０に出力する。
【００２２】
図２は、アナログ音声処理部１１５の構成を示すブロック図である。アナログ音声処理部１１５は、アンプ４０１と、振幅検知部４０２と、Ａ／Ｄ変換器４０３とを備える。アナログ音声処理部１１５は、音声入力部１１１から受信したアナログ音声信号をアンプ４０１により所定のゲインで増幅して、Ａ／Ｄ変換器４０３に出力する。Ａ／Ｄ変換器４０３は、アンプ４０１で増幅されたアナログ音声信号を受信してＡ／Ｄ変換を行い、Ａ／Ｄ変換された音声信号をデジタル画像・音声処理部１２０に出力する。振幅検知部４０２は、アンプ４０１で増幅された音声信号を受けて、アナログ音声信号の振幅がＡ／Ｄ変換器４０３の入力許容レベルを超えないように、アンプ４０１のゲインをフィードバック制御する。アナログ音声処理部１１５は、アナログ回路を含む電子回路で構成され、１つまたは複数の半導体集積回路で構成されてもよい。
【００２３】
アナログ音声処理部１１５は、ゲインを変化させることでアナログ音声信号の大きさを示すレベル（以下「マイクレベル」という）を変更できる。マイクレベルはユーザにより設定可能である。コントローラ１３０は、ユーザにより設定されたマイクレベルの設定値にしたがい、アンプ４０１のゲインを指示する制御信号をアナログ音声処理部１１５に出力する。アナログ音声処理部１１５は、この制御信号にしたがいゲインを調整し、アナログ音声信号のレベルを制御する。
【００２４】
デジタル画像・音声処理部１２０は、ＡＦＥ１４４から出力された画像情報およびアナログ音声処理部１１５から出力された音声信号に対して、各種の処理を施す。例えば、デジタル画像・音声処理部１２０は、コントローラ１３０からの指示にしたがって、画像情報に対してガンマ補正、ホワイトバランス補正、傷補正、および符号化処理等を行う。また、デジタル画像・音声処理部１２０は、コントローラ１３０からの指示にしたがって、音声信号に対する各種処理を行う。デジタル画像・音声処理部１２０は、ハードワイヤードな電子回路で実現されてもよいし、プログラムを実行するマイクロコンピュータなどで実現されてもよい。デジタル画像・音声処理部１２０を実現する回路は、１つまたは複数の半導体集積回路に集積されてもよい。例えば、デジタル画像・音声処理部１２０はＣＰＵ（Ｃｅｎｔｒａｌ  Ｐｒｏｃｅｓｓｉｎｇ  Ｕｎｉｔ）、ＦＰＧＡ（Ｆｉｅｌｄ‐Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）等で構成される。
【００２５】
表示部１９０は、デジタルカメラ１００の背面に配置される。表示部１９０は、液晶ディスプレイ、または有機ＥＬ（Ｅｌｅｃｔｒｏ  Ｌｕｍｉｎｅｓｃｅｎｃｅ）ディスプレイで構成される。表示部１９０は、デジタル画像・音声処理部１２０にて処理された画像情報に基づく画像を表示する。表示部１９０は、表示画像上でのユーザ操作を可能とするタッチパネルも含む。
【００２６】
コントローラ１３０は、デジタルカメラ１００全体の動作を統括制御する。コントローラ１３０は、ハードワイヤードな電子回路で実現されてもよいし、プログラムを実行するマイクロコンピュータなどで実現されてもよい。また、コントローラ１３０は、デジタル画像・音声処理部１２０などと一体的に１つの半導体チップとして実現されてもよい。例えば、コントローラ１３０は単独でまたはデジタル画像・音声処理部１２０と一体的に、ＣＰＵ、ＦＰＧＡ、ＡＳＩＣ、ＤＳＰ等で構成される。
【００２７】
ＲＯＭ（Ｒｅａｄ  Ｏｎｌｙ  Ｍｅｍｏｒｙ）１７０は、コントローラ１３０がオートフォーカス制御（ＡＦ制御）、自動露出制御（ＡＥ制御）、およびストロボの発光制御などを実行するための、これらの制御に関するプログラムを格納している。また、ＲＯＭ１７０は、デジタルカメラ１００全体の動作を統括制御するためのプログラムを格納している。ＲＯＭ１７０は、デジタルカメラ１００に関する各種条件および設定を記憶する。ＲＯＭ１７０は、コントローラ１３０の外部に（コントローラ１３０とは別体として）存在している必要はなく、コントローラ１３０の内部に組み込まれていてもよい。本実施の形態では、ＲＯＭ１７０は、フラッシュＲＯＭである。
【００２８】
ＲＡＭ（Ｒａｎｄｏｍ  Ａｃｃｅｓｓ  Ｍｅｍｏｒｙ）１５０は、デジタル画像・音声処理部１２０およびコントローラ１３０のワークメモリとして機能する。ＲＡＭ１５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）またはフラッシュメモリなどで実現できる。ＲＡＭ１５０は、画像情報および音声信号などを記録するための内部メモリとしても機能する。
【００２９】
外部記憶媒体１６０は、内部にフラッシュメモリ等の不揮発性の記憶素子を備えた着脱可能なメモリデバイスである。外部記憶媒体１６０は例えばＳＤカードのようなメモリカードである。外部記憶媒体１６０は、コントローラ１３０の制御にしたがい、デジタル画像・音声処理部１２０で処理される画像および音声のデータを動画ファイルとして記録する。
【００３０】
操作部１８０は、デジタルカメラ１００の外装に配置される操作釦および操作ダイヤルなどの少なくとも１つの操作インターフェースの総称である。操作部１８０は、ユーザによる操作を受け付ける。例えば、操作部１８０は、デジタルカメラ１００の上面に設けられたレリーズ釦、電源スイッチ、モードダイヤル、およびデジタルカメラ１００の背面に設けられた中央釦、十字釦などを含む。また、操作部１８０は表示部１９０のタッチパネルも含む。操作部１８０は、ユーザによる操作を受け付けると、コントローラ１３０に種々の動作を指示する信号を通知する。
【００３１】
［１−２．動作］
本実施の形態のデジタルカメラ１００は動画撮影が可能である。動画撮影においては、画像と共に音声が記録される。デジタルカメラ１００は、動画撮影時において、入力したアナログ音声信号のレベルを示す表示であるマイクレベルを表示部１９０に表示する。
【００３２】
図３は、動画撮影時にデジタルカメラ１００の表示部１９０に表示されるレベルメータの表示例を説明した図である。レベルメータ２０１は、表示部１９０の画面の左下の領域に表示される。レベルメータ２０１は、マイクロホン１１１Ｌ、１１１Ｒそれぞれのマイクレベルの大きさに応じてその表示状態を変化させる。ユーザは、動画撮影中にレベルメータ２０１を参照することで、音声の入力レベルを把握することができる。
【００３３】
デジタルカメラ１００において、ユーザは、表示部１９０にレベルメータ２０１を表示させるか否かを設定可能である。図４は、デジタルカメラ１００において動画撮影に関する種々の設定を行うための設定画面を示す。この設定画面における「マイクレベル表示」の項目により、ユーザは、レベルメータ２０１の表示または非表示を設定することができる。具体的には、マイクレベル表示が「ＯＮ」に設定されたときは、表示部１９０にレベルメータ２０１が表示される。マイクレベル表示が「ＯＦＦ」に設定されたときは、表示部１９０にレベルメータ２０１は表示されない。図４の例では、レベルメータ２０１が表示されるように、マイクレベル表示が「ＯＮ」に設定されている。コントローラ１３０は、マイクレベル表示の設定にしたがいレベルメータ２０１の表示または非表示を制御する。
【００３４】
さらに、デジタルカメラ１００において、ユーザによりマイクレベルを設定することができる。図５は、マイクレベルを設定するための設定画面を示す。図５に示す設定画面では、マイクレベルは−１２ｄＢから＋６ｄＢの範囲で設定される。ユーザは、図５の設定画面において、所望のレベルの位置にカーソル２１０を移動し、決定ボタン２１４を押下することで、マイクレベルを所望のレベルに設定することができる。コントローラ１３０は、マイクレベルの設定にしたがいアナログ音声処理部１１５のゲインを制御し、マイクレベルを制御する。
【００３５】
図５に示す設定画面において、マイクレベルは、−１２ｄＢよりも低い最小設定値としてマイナス無限大（−∞）ｄＢにも設定できる。マイクレベルが最小設定値に設定された場合、デジタルカメラ１００においてミュート機能がＯＮに設定される。ミュート機能は、音声入力部１１１を介して入力した音声を記録しない機能、換言すれば、無音を記録する機能である。すなわち、デジタルカメラ１００は、動画撮影時にミュート機能がＯＮに設定された場合、入力した音声のレベルにかかわらず、画像データとともに、無音を示す音声データ（例えばデータの値が０）を記録する。
【００３６】
ミュート機能がＯＮに設定された場合、デジタルカメラ１００は、ミュート機能がＯＮに設定されていることをユーザに通知するための表示（以下、ミュート表示という）を表示部１９０に表示する。図６は、そのようなミュート表示の一例を示した図である。表示部１９０において、レベルメータ２０１に重ねて“ＭＵＴＥ”の文字２０２が表示されている。このようなミュート表示により、ユーザは、デジタルカメラ１００においてミュート機能がＯＮになっていることを把握することができる。よって、ミュート機能がＯＮに設定されていることを知らずに、ユーザの意に反して無音の動画が撮影されてしまうことを防止できる。
【００３７】
図６に示すように、“ＭＵＴＥ”の文字２０２は、レベルメータ２０１に重ねて表示されている。このように“ＭＵＴＥ”の文字２０２がレベルメータ２０１に重ねて配置されることで、ユーザは、レベルメータ２０１を参照したときに、同時にミュート機能がＯＮに設定されていることを把握することができる。“ＭＵＴＥ”の文字２０２は赤色のような目立つ色で表示されてもよい。
【００３８】
図７は、デジタルカメラ１００による動画撮影時におけるレベルメータ２０１の表示処理に関するフローチャートである。以下、図７のフローチャートを参照して、デジタルカメラ１００におけるレベルメータ２０１の表示処理を説明する。図７の処理は、主としてデジタルカメラ１００のコントローラ１３０が実行する。図７の処理は、例えば、デジタルカメラ１００の電源ＯＮ時に開始される。
【００３９】
コントローラ１３０はまず表示ＯＦＦフラグを「０」に設定する（Ｓ１０）。ここで、表示ＯＦＦフラグとは、マイクレベル表示をＯＦＦにすることをユーザが了承したか否かを示すフラグである。「０」は、マイクレベル表示をＯＦＦにすることをユーザが了承していないことを示し、「１」は、マイクレベル表示をＯＦＦにすることをユーザが了承していることを示す。
【００４０】
コントローラ１３０は、レベルメータ２０１の表示または非表示を設定する「マイクレベル表示」の設定（図４参照）がＯＦＦ（非表示）に設定されているか否かを判断する（Ｓ１１）。
【００４１】
マイクレベル表示の設定がＯＮ（表示）に設定されている場合（Ｓ１１でＮＯ）、コントローラ１３０は、マイクレベル表示の設定にしたがい、表示部１９０にレベルメータ２０１を表示させる（Ｓ１９）。
【００４２】
マイクレベル表示の設定がＯＦＦに設定されている場合（Ｓ１１でＹＥＳ）、コントローラ１３０は、ミュート機能がＯＮに設定されており、かつ、表示ＯＦＦフラグが「０」に設定されているか否かを判断する（Ｓ１２）。
【００４３】
最初、表示ＯＦＦフラグは「０」に設定されている。よって、ミュート機能がＯＦＦに設定されていれば（Ｓ１２でＮＯ）、コントローラ１３０は、マイクレベル表示の設定にしたがい、レベルメータ２０１を表示部１９０に表示させない（Ｓ１８）。
【００４４】
一方、ミュート機能がＯＮに設定されている場合（Ｓ１２でＹＥＳ）、コントローラ１３０はマイクレベル表示をＯＮに設定する（Ｓ１３）。さらに、コントローラ１３０は、図６に示すように、表示部１９０において、レベルメータ２０１と“ＭＵＴＥ”の文字２０２を表示する（Ｓ１４）。
【００４５】
このようにミュート機能がＯＮの場合、マイクレベル表示の設定がＯＦＦ（非表示）であるにも拘わらず、レベルメータ２０１及び“ＭＵＴＥ”の文字２０２を表示させている。これにより、ユーザに対して、デジタルカメラ１００において現在ミュート機能がＯＮに設定されていることをより確実に通知することができる。ユーザは、このような表示を参照することで、意に反してミュート機能がＯＮに設定されていることに気づいたときは、設定を変更することで音声記録を実行できる。これにより、ユーザが意図せずに無音の動画を撮影してしまうことを防止できる。
【００４６】
コントローラ１３０は、マイクレベル表示の設定がＯＮの間（Ｓ１５でＮＯ）、表示部１９０において、レベルメータ２０１と“ＭＵＴＥ”の文字２０２を表示し続ける（Ｓ１４）。
【００４７】
ユーザによりマイクレベル表示の設定がＯＦＦに変更されると（Ｓ１５でＹＥＳ）、コントローラ１３０は、表示部１９０において、レベルメータ２０１と“ＭＵＴＥ”２０２の表示を消す（Ｓ１６）。本実施の形態のデジタルカメラ１００では、レベルメータ２０１と“ＭＵＴＥ”２０２の表示後に、ユーザによりマイクレベル表示の設定がＯＦＦに設定されたときは、ユーザの意思を尊重し、レベルメータ２０１と“ＭＵＴＥ”２０２の表示を消すようにしている。
【００４８】
ユーザによりマイクレベル表示の設定がＯＦＦに変更された場合、ユーザはマイクレベル表示をＯＦＦにすることを了承していると考えられる。よって、コントローラ１３０は、表示ＯＦＦフラグを「１」に設定し（Ｓ１７）、ステップＳ１１に戻る。
【００４９】
このとき、マイクレベル表示がＯＦＦに設定されているため、ステップＳ１１では、ステップＳ１２に進む。そして、コントローラ１３０は、ミュート機能がＯＮに設定されており、かつ、表示ＯＦＦフラグが「０」に設定されているか否かを判断する（Ｓ１２）。ここで、表示ＯＦＦフラグは先のステップＳ１７にて「１」に設定されているため、コントローラ１３０は、レベルメータ２０１を表示しない（Ｓ１８）。以後、上記の処理が繰り返される。
【００５０】
以上のようにして、本実施の形態のデジタルカメラ１００は、マイクレベル表示の設定がＯＦＦであっても、ミュート機能がＯＮに設定された場合には、マイクレベル表示の設定に反してレベルメータ及び“ＭＵＴＥ”の文字を表示部１９０に表示する。これにより、ユーザがミュートに設定されていることに気づかず意に反して無音の動画が記録される機会を低減することができる。
【００５１】
［１−３．効果、等］
本実施形態のデジタルカメラ１００（撮像装置の一例）は、被写体を撮影して動画像データを記録可能である。デジタルカメラ１００は、音声を入力して音声信号を生成する音声入力部１１１と、音声入力部１１１から出力される音声信号のレベルを示すレベルメータ２０１を表示する表示部１９０と、表示部上でのレベルメータの表示のＯＮ又はＯＦＦを設定する第１の設定（すなわち、マイクレベル表示の設定）と、無音を示す音声を記録する機能であるミュート機能のＯＮ又はＯＦＦを設定する第２の設定とを受け付ける操作部１８０（設定部の一例）と、表示部１９０上でのレベルメータ２０１の表示を制御するコントローラ１３０（制御部の一例）と、を備える。
【００５２】
コントローラ１３０は、動画撮影時において、第１の設定において、レベルメータの表示がＯＮに設定されている場合（Ｓ１１でＮＯ）、表示部１９０にレベルメータを表示させる（Ｓ１９）。これに対して、第１の設定において、レベルメータの表示がＯＦＦに設定されている場合（Ｓ１１でＹＥＳ）であって、さらに第２の設定において、ミュート機能がＯＦＦに設定されているときは（Ｓ１２でＮＯ）、コントローラ１３０は、表示部１９０にレベルメータを表示させない（Ｓ１８）。または、第２の設定において、ミュート機能がＯＮに設定されているときは（Ｓ１２でＹＥＳ）、コントローラ１３０は、表示部１９０にレベルメータおよびミュート表示を表示させる（Ｓ１４）。
【００５３】
以上の構成により、マイクレベル表示がＯＦＦ設定であっても、ミュート機能がＯＮに設定された場合には、マイクレベル表示の設定に反してレベルメータ２０１及び“ＭＵＴＥ”の文字２０２を表示部１９０に表示する。これにより、ユーザは、ミュート機能がＯＮに設定されていることを確実に認識できるため、ミュートに設定されていることに気づかず意に反して無音の動画が記録される機会を低減することができる。よって、ミュート機能に関するユーザの誤操作を低減することができる。
【００５４】
また、実施の形態１では、無音で動画を記録できるため、たとえばパーソナルコンピュータを用いた編集作業において、パーソナルコンピュータの表示部に音声データが表示されない。または、無音を示す一定のデータが表示される。したがって、無音の動画を編集したい場合は、編集作業中に不要なデータ、または煩雑なデータが視界に入らず、ユーザの利便性が向上する。編集作業は、パーソナルコンピュータ以外にも、電子端末等で実行されうる。
【００５５】
ミュート機能がＯＮに設定されている場合であって、表示部１９０にレベルメータ２０１を表示するとき、コントローラ１３０は、レベルメータに重畳して又はその近傍位置に、ミュート機能がＯＮに設定されていることを示す表示２０２（ミュート表示の一例）を表示させてもよい。これにより、ユーザはミュート機能がＯＮに設定されていることをより確実に認識できるようになる。
【００５６】
また、ミュート機能がＯＮに設定され、かつ、表示部１９０にレベルメータ２０１が表示されている場合に（Ｓ１４）、マイクレベル表示がＯＦＦに設定されたときは（Ｓ１５）、コントローラ１３０は表示部１９０にレベルメータ２０１を表示させないようにしてもよい（Ｓ１１、Ｓ１２、Ｓ１８）。これにより、レベルメータ２０１を表示部１９０に表示させたくないというユーザの意思を尊重し、ユーザの利便性を図ることができる。
【００５７】
なお、実施の形態１では、ステップＳ１４において、レベルメータとミュート表示の双方を表示したが、少なくとも一方が表示されればよい。これにより、ユーザは、ミュート機能がＯＮに設定されていることを認識できる。したがって、ミュート機能が設定されていることに気づかず意に反して無音の動画が記録される機会を低減することができる。よって、ミュート機能に関するユーザの誤操作を低減することができる。
【００５８】
（実施の形態２）
本実施の形態のデジタルカメラ１００の構成は、実施の形態１のものと同様である。デジタルカメラ１００は表示部１９０上に所定情報を表示するＯＳＤ（Ｏｎ  Ｓｃｒｅｅｎ  Ｄｉｓｐｌａｙ）機能を有する。ＯＳＤ機能で表示される所定情報には、撮影モード、シャッタスピード、露出、ストロボのＯＮ／ＯＦＦ、バッテリ残量、およびレベルメータ２０１等が含まれる。デジタルカメラ１００において、ＯＳＤ機能のＯＮまたはＯＦＦの設定が可能である。ＯＳＤ機能がＯＮに設定されたときは、表示部１９０に所定情報が表示され、ＯＳＤ機能がＯＦＦに設定されたときは、表示部１９０に所定情報は表示されない。
【００５９】
実施の形態１では、マイクレベル表示のＯＮ又はＯＦＦ設定に関連したレベルメータ２０１の表示処理を説明したが、本実施の形態では、ＯＳＤ機能のＯＮ又はＯＦＦ設定に関連したレベルメータ２０１の表示処理を説明する。
【００６０】
図１０は、実施の形態２のデジタルカメラ１００による動画撮影時におけるレベルメータ２０１の表示処理に関するフローチャートである。以下、図１０のフローチャートを参照して、デジタルカメラ１００におけるレベルメータ２０１の表示処理を説明する。
【００６１】
コントローラ１３０はまず表示ＯＦＦフラグを「０」に設定する（Ｓ３０）。表示ＯＦＦフラグは、実施の形態１と同様に、マイクレベル表示をＯＦＦにすることをユーザが了承したか否かを示すフラグである。
【００６２】
コントローラ１３０は、ＯＳＤ機能の設定がＯＦＦ（非表示）に設定されているか否かを判断する（Ｓ３１）。
【００６３】
ＯＳＤ機能がＯＮ（表示）に設定されている場合（Ｓ３１でＮＯ）、コントローラ１３０は、ＯＳＤ機能のＯＮ設定にしたがい、表示部１９０にレベルメータ２０１を含む所定情報を表示させる（Ｓ３９）。
【００６４】
ＯＳＤ機能がＯＦＦ（非表示）に設定されている場合（Ｓ３１でＹＥＳ）、コントローラ１３０は、ミュート機能がＯＮに設定されており、かつ、表示ＯＦＦフラグが「０」に設定されているか否かを判断する（Ｓ３２）。
【００６５】
最初、表示ＯＦＦフラグは「０」に設定されている。よって、ミュート機能がＯＦＦに設定されていれば（Ｓ３２でＮＯ）、コントローラ１３０は、ＯＳＤ機能のＯＦＦ設定にしたがい、レベルメータ２０１を含む所定情報を表示部１９０に表示させない（Ｓ３８）。
【００６６】
一方、ミュート機能がＯＮに設定されている場合（Ｓ３２でＹＥＳ）、コントローラ１３０はマイクレベル表示をＯＮに設定する（Ｓ３３）。さらに、コントローラ１３０は、図６に示すように、表示部１９０において、レベルメータ２０１と“ＭＵＴＥ”の文字２０２を表示する（Ｓ３４）。
【００６７】
このようにミュート機能がＯＮの場合、ＯＳＤ機能の設定がＯＦＦ（非表示）であっても、レベルメータ２０１及び“ＭＵＴＥ”の文字２０２を表示させる。これにより、ユーザに対して、デジタルカメラ１００において現在ミュート機能がＯＮに設定されていることをより確実に通知することができる。
【００６８】
コントローラ１３０は、マイクレベル表示の設定がＯＮの間（Ｓ３５でＮＯ）、表示部１９０において、レベルメータ２０１と“ＭＵＴＥ”の文字２０２を表示し続ける（Ｓ３４）。
【００６９】
ユーザによりマイクレベル表示の設定がＯＦＦに変更されると（Ｓ３５でＹＥＳ）、コントローラ１３０は、表示部１９０において、レベルメータ２０１と“ＭＵＴＥ”２０２の表示を消す（Ｓ３６）。レベルメータ２０１と“ＭＵＴＥ”２０２の表示後に、ユーザによりマイクレベル表示の設定がＯＦＦに設定されたときは、ユーザの意思を尊重し、レベルメータ２０１と“ＭＵＴＥ”２０２の表示を消すようにしている。
【００７０】
ユーザによりマイクレベル表示の設定がＯＦＦに変更された場合、ユーザはマイクレベル表示をＯＦＦにすることを了承していると考えられる。よって、コントローラ１３０は、表示ＯＦＦフラグを「１」に設定し（Ｓ３７）、ステップＳ３１に戻る。
【００７１】
このとき、マイクレベル表示がＯＦＦに設定されているため、ステップＳ３１では、ステップＳ３２に進む。そして、コントローラ１３０は、ミュート機能がＯＮに設定されており、かつ、表示ＯＦＦフラグが「０」に設定されているか否かを判断する（Ｓ３２）。ここで、表示ＯＦＦフラグは先のステップＳ３７にて「１」に設定されているため、コントローラ１３０は、レベルメータ２０１を表示しない（Ｓ３８）。以後、上記の処理が繰り返される。
【００７２】
以上のようにして、本実施の形態のデジタルカメラ１００は、ＯＳＤ機能がＯＦＦ設定であっても、ミュート機能がＯＮに設定された場合には、マイクレベル表示の設定に反してレベルメータ及び“ＭＵＴＥ”の文字を表示部１９０に表示する。これにより、ユーザがミュートに設定されていることに気づかず意に反して無音の動画が記録される機会を低減することができる。
【００７３】
なお、実施の形態２では、ステップＳ３４において、レベルメータとミュート表示の双方が表示されるが、少なくとも一方を表示すればよい。これにより、ユーザは、ミュート機能がＯＮに設定されていることを認識できる。したがって、ミュートに設定されていることに気づかず意に反して無音の動画が記録される機会を低減することができる。よって、ミュート機能に関するユーザの誤操作を低減することができる。
【００７４】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。
【００７５】
上記の実施の形態では、ミュート機能がＯＮに設定された時に表示される表示の例として、図６に示すように“ＭＵＴＥ”の文字をレベルメータ２０１に重ねて表示したが、表示方法はこれに限定されるものではない。
【００７６】
例えば、図８に示すように、レベルメータ２０１に重ならないように、レベルメータ２０１の近傍に“ＭＵＴＥ”の文字２０２を配置してもよい。これにより、マイクレベルに関する情報の表示位置としてユーザが見慣れた位置の近くに“ＭＵＴＥ”の文字２０２が表示されるため、“ＭＵＴＥ”の文字２０２がユーザにより見過ごされる可能性が低減される。
【００７７】
また、図９に示すように、レベルメータ２０１を表示せず、“ＭＵＴＥ”の文字２０２だけを表示してもよい。この場合、“ＭＵＴＥ”の文字２０２は、レベルメータ２０１が通常表示される位置またはその近傍に表示する。これにより、マイクレベルに関する情報の表示位置としてユーザが見慣れた位置に“ＭＵＴＥ”の文字２０２が表示されるため、“ＭＵＴＥ”の文字２０２がユーザにより見過ごされる可能性が低減される。
【００７８】
また、ミュート機能がＯＮに設定されていることをユーザに通知する情報として“ＭＵＴＥ”の文字に代えて、他の種類の情報（テキスト、画像）を表示してもよい。
【００７９】
上記の実施の形態では、デジタルカメラ１００はレベルメータの表示機能を有するが、レベルメータの表示機能はデジタルカメラ１００に必須ではない。つまり、デジタルカメラ１００は、被写体を撮影して動画像データを記録可能な撮像装置であって、音声を入力し、音声信号を生成する音声入力部１１１と、無音を示す音声を記録する機能であるミュート機能のＯＮ又はＯＦＦの設定を受け付ける操作部１８０（設定部の一例）と、ミュート機能がＯＮに設定されているときは、ミュート機能がＯＮに設定されていることを示すミュート表示を表示する表示部１９０と、表示部１９０にミュート表示を表示させるように構成されたコントローラ１３０（制御部の一例）と、を備えていればよい。これにより、ユーザは、動画の撮影時に、ミュートに設定されているのを容易に気づける。
【００８０】
上記の実施の形態では、デジタルカメラとして交換レンズ式のデジタルカメラを説明したが、デジタルカメラはレンズとボディが一体型のものでもよい。
【００８１】
また、本開示の撮像装置として、デジタルカメラを説明したが、本開示の撮像装置は、他の電子機器であってもよい。本開示の撮像装置は、ビデオカメラ、スマートフォンのような、音声を入力する他の電子機器でもよい。
【００８２】
以上のように、本開示における技術の例示として、実施の形態を説明した。そのために、添付図面および詳細な説明を提供した。
【００８３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、特許請求の範囲またはその均等の範囲において種々の変更、置き換え、付加、省略などを行うことができる。
【産業上の利用可能性】
【００８５】
本開示の撮像装置は、ミュート機能に関するユーザの誤操作を低減することができ、音声を電気信号に変換して入力する種々の電子機器（ビデオカメラ、ＩＣレコーダ等）に適用できる。
【符号の説明】
【００８６】
１００    デジタルカメラ（撮像装置）
１０２    カメラボディ
１１１    音声入力部
１１１Ｌ，１１１Ｒ    マイクロホン
１１５    アナログ音声処理部
１２０    デジタル画像・音声処理部
１３０    コントローラ（制御部）
１４３    ＣＣＤイメージセンサ
１６０    外部記憶媒体
１８０    操作部（設定部）
１９０    表示部
２０１    レベルメータ
２０２    文字（ミュート表示）
３０１    交換レンズ
【手続補正２】
【補正対象書類名】特許請求の範囲
【補正対象項目名】全文
【補正方法】変更
【補正の内容】
【特許請求の範囲】
【請求項１】
被写体を撮影して動画像データを記録可能な撮像装置であって、
音声を入力し、音声信号を生成する音声入力部と、
前記音声入力部から出力される前記音声信号のレベルを示すレベルメータを表示する表示部と、
前記表示部上での前記レベルメータの表示のＯＮ又はＯＦＦを設定する第１の設定と、無音を示す音声を記録する機能であるミュート機能のＯＮ又はＯＦＦを設定する第２の設定と、を受け付ける設定部と、
前記表示部上での前記レベルメータの表示を制御する制御部と、を備え、
前記制御部は、動画撮影時に、
前記第１の設定において、前記レベルメータの表示がＯＮに設定されている場合、前記表示部に前記レベルメータを表示させ、
前記第１の設定において、前記レベルメータの表示がＯＦＦに設定されている場合であって、
さらに、前記第２の設定において、
前記ミュート機能がＯＦＦに設定されているときは、前記表示部に前記レベルメータを表示させず、
前記ミュート機能がＯＮに設定されているときは、前記表示部に前記レベルメータ、及び前記ミュート機能がＯＮに設定されていることを示すミュート表示の少なくとも一方を表示させるように構成された、
撮像装置。
【請求項２】
前記第２の設定において前記ミュート機能がＯＮに設定され、かつ、前記表示部に前記レベルメータが表示される場合、前記制御部は、前記レベルメータに重畳して又はその近傍位置に、前記ミュート表示を表示させるように構成された、請求項１記載の撮像装置。
【請求項３】
前記第２の設定において前記ミュート機能がＯＮに設定され、かつ、前記表示部に前記レベルメータが表示されている場合に、前記第１の設定において前記レベルメータの表示がＯＦＦに設定されたときは、前記制御部は、前記表示部に前記レベルメータを表示させないように構成された、請求項１記載の撮像装置。
【請求項４】
前記第１の設定は、前記レベルメータのみに対する前記表示部上での表示及び非表示のいずれか一方の選択である、請求項１記載の撮像装置。
【請求項５】
前記第１の設定は、前記レベルメータを含む所定情報に対する前記表示部上での表示及び非表示のいずれか一方の選択である、請求項１記載の撮像装置。
【請求項６】
被写体を撮像し動画信号を生成する撮像部をさらに備え、
前記制御部は、前記動画信号と前記音声信号に基づく動画像データを記録媒体に記録する、請求項１記載の撮像装置。
【請求項７】
被写体を撮影して動画像データを記録可能な撮像装置であって、
音声を入力し、音声信号を生成する音声入力部と、
無音を示す音声を記録する機能であるミュート機能のＯＮ又はＯＦＦの設定を受け付ける設定部と、
前記ミュート機能がＯＮに設定されているときは、前記ミュート機能がＯＮに設定されていることを示すミュート表示を表示する表示部と、
前記表示部に前記ミュート表示を表示させるように構成された制御部と、を備えた、
撮像装置。
【手続補正３】
【補正対象書類名】図面
【補正対象項目名】全図
【補正方法】変更
【補正の内容】
【図１】
2019026318.tif 000013
【図２】
2019026318.tif 000014
【図３】
2019026318.tif 000015
【図４】
2019026318.tif 000016
【図５】
2019026318.tif 000017
【図６】
2019026318.tif 000018
【図７】
2019026318.tif 000019
【図８】
2019026318.tif 000020
【図９】
2019026318.tif 000021
【図１０】
2019026318.tif 000022
【国際調査報告】
2019026318.tif 000023
2019026318.tif 000024
2019026318.tif 000025
2019026318.tif 000026